(57)【要約】【課題】コストアップを招くことなく、パッキンの防水性能を維持する。【解決手段】本発明は、中継コネクタ２０とインバータケース３０の合わせ面２１，３２で圧着されるパッキン本体１１と、パッキン本体１１から張り出して設けられ、中継コネクタ２０から突出して設けられた位置決めピン２８を挿通可能な位置決め孔１５を有する位置決め部１２と、位置決め孔１５に挿通された位置決めピン２８に装着され、位置決め部１２の抜け止めを行うキャップ１４とを備えたパッキン１０であって、位置決め孔１５の内周面と位置決めピン２８の外周面との間には、隙間が形成されている構成としたところに特徴を有する。【選択図】図４
2009295491.tif 000002
【特許請求の範囲】
【請求項１】
コネクタと相手側部材の合わせ面で圧着されるパッキン本体と、
前記パッキン本体から張り出して設けられ、前記コネクタから突出して設けられた位置決めピンを挿通可能な位置決め孔を有する位置決め部と、
前記位置決め孔に挿通された前記位置決めピンに装着され、前記位置決め部の抜け止めを行う抜止部とを備えたパッキンであって、
前記位置決め孔の内周面と前記位置決めピンの外周面との間には、隙間が形成されていることを特徴とするパッキン。
【請求項２】
前記抜止部は、前記位置決め孔に挿通された前記位置決めピンに圧入されるキャップである請求項１に記載のパッキン。
【請求項３】
前記抜止部は、前記位置決め孔の周縁部を押さえることにより、前記位置決め部を前記コネクタに保持する請求項１または請求項２に記載のパッキン。
【請求項４】
前記抜止部と前記位置決め部は、可撓性を有し、折り返し状をなす連結部によって連結されている請求項１ないし請求項３のいずれか一項に記載のパッキン。
【請求項５】
請求項１ないし請求項４のいずれか一項に記載のパッキンの取付構造において、前記コネクタは、前記相手側部材に設けられた取付孔に装着されるハウジングを備え、前記パッキン本体は、前記ハウジングと前記取付孔の開口縁部の合わせ面で圧着されるパッキンの取付構造。
【発明の詳細な説明】
【技術分野】
【０００１】
本発明は、パッキンおよびパッキンの取付構造に関する。
【背景技術】
【０００２】
従来、パッキンをコネクタに取り付ける取付構造として、例えば下記特許文献１に記載のものが知られている。このものは、パッキンをコネクタに取り付ける際の位置決め構造として、コネクタに位置決めピンが突出して設けられている。一方、パッキンには、位置決めピンを挿通させる位置決め孔を有する位置決め部が設けられている。この位置決め孔は、位置決めピンを圧入可能とされており、これによりパッキンがコネクタに保持されている。
【特許文献１】特開２００４−３２７１６９公報
【発明の開示】
【発明が解決しようとする課題】
【０００３】
しかしながら、パッキンはゴム製品であり、一般にゴム製品は成形精度を出しにくいため、正規の位置からずれた位置に位置決め孔が成形される場合がある。このような場合にパッキンをコネクタに無理に装着すると、パッキンが変形してしまい、防水性能が低下する。かといって、パッキンの成形精度を高めようとすると、より精度の高い金型が必要となるため、金型費が高くなる。
【０００４】
本発明は上記のような事情に基づいて完成されたものであって、コストアップを招くことなく、パッキンの防水性能を維持することを目的とする。
【課題を解決するための手段】
【０００５】
本発明は、コネクタと相手側部材の合わせ面で圧着されるパッキン本体と、パッキン本体から張り出して設けられ、コネクタから突出して設けられた位置決めピンを挿通可能な位置決め孔を有する位置決め部と、位置決め孔に挿通された位置決めピンに装着され、位置決め部の抜け止めを行う抜止部とを備えたパッキンであって、位置決め孔の内周面と位置決めピンの外周面との間には、隙間が形成されている構成としたところに特徴を有する。
【０００６】
このような構成によると、パッキン本体を変形させることなく合わせ面に装着することができる。すなわち、位置決め孔が正規の位置からずれた位置に成形されていても、位置決め孔の位置ずれを吸収することができる。さらに、抜止部によって位置決め部を抜け止め状態に保持することができる。このように、精度の高い金型を使用しなくてもパッキン本体の変形を防ぐことができるから、コストアップを招くことなく、パッキンの防水性能を維持することができる。
【０００７】
本発明の実施の態様として、以下の構成が好ましい。
抜止部は、位置決め孔に挿通された位置決めピンに圧入されるキャップである構成としてもよい。
このような構成によると、位置決めピンにキャップを圧入することで位置決め部の抜け止めを行うことができる。また、位置決めピンの先端がキャップで覆われているからキャップを押し込む操作がしやすい。
【０００８】
抜止部は、位置決め孔の周縁部を押さえることにより、位置決め部をコネクタに保持する構成としてもよい。
このような構成によると、抜止部により位置決め部をコネクタに保持することができる。
【０００９】
抜止部と位置決め部は、可撓性を有し、折り返し状をなす連結部によって連結されている構成としてもよい。
このような構成によると、抜止部が連結部を介して位置決め部と連結されるから、取り扱いが容易になる。また、位置決め孔が位置決めピンに対して位置ずれしている場合でも、連結部で位置ずれを吸収することができ、抜止部を位置決めピンに装着することができる。
【００１０】
上記のパッキンの取付構造において、コネクタは、相手側部材に設けられた取付孔に装着されるハウジングを備え、パッキン本体は、ハウジングと取付孔の開口縁部の合わせ面で圧着される構成としてもよい。
このようにすると、ハウジングと相手側部材の取付孔の開口縁部との間でパッキン本体を圧着することができる。
【発明の効果】
【００１１】
本発明によれば、コストアップを招くことなく、パッキンの防水性能を維持することができる。
【発明を実施するための最良の形態】
【００１２】
＜実施形態１＞
本発明の実施形態１を図１ないし図５の図面を参照しながら説明する。本実施形態のパッキン１０は、図１および図２に示すように、面シール構造を有する中継コネクタ２０の合わせ面２１に取り付けられるものである。この中継コネクタ２０は、図３および図４に示すように、電気自動車やハイブリッド自動車などに組み込まれるインバータケース（本発明の「相手側部材」の一例）３０の取付孔３１に装着されて使用される。
【００１３】
パッキン１０は合成樹脂製で、図１に示すように、略長方形の環状をなすパッキン本体１１、パッキン本体１１から内周側に張り出して設けられた位置決め部１２、同じくパッキン本体１１の内周側において連結部１３を介して位置決め部１２に連結されたキャップ１４などを備えている。位置決め部１２は、パッキン本体１１の四隅に対応して４つ配置されている。また、位置決め部１２の厚みは、パッキン本体１１よりも薄肉とされている。また、連結部１３の厚みは、位置決め部１２の厚みと同程度とされている。
【００１４】
中継コネクタ２０は、図２に示すように、合成樹脂製のハウジング２２を有し、ハウジング２２の幅方向両側には、一対の取付部２３が張り出して設けられている。取付部２３は略三角形状をなし、取付部２３には、円筒状をなす金属製のカラー４０がインサート成形されている。カラー４０は、取付部２３の板厚よりもやや大きめの高さを有している。なお、ハウジング２２とインバータケース３０とが対面する部分によって合わせ面２１，３２が構成されている。
【００１５】
一方、インバータケース３０の合わせ面３２には、ボルト５０を締め込むためのボルト孔３３が形成されている。これにより、ボルト５０をボルト孔３３に締め込み、ボルト５０とボルト孔３３の開口縁部との間でカラー４０が挟持されることで中継コネクタ２０がインバータケース３０に固定される。
【００１６】
ハウジング２２の前後方向（相手側コネクタとの嵌合方向）における両側には、図３に示すように、一対のフード部２４が設けられている。前側（図３におけるインバータケース３０側）のフード部２４は、前側に開口するフード状をなし、後側（図３におけるインバータケース３０とは反対側）のフード部２４は、後側に開口するフード状をなしている。両フード部２４は、前後方向に対応する位置に設けられている。
【００１７】
前側のフード部２４は、合わせ面２１よりも前側に突出する形態をなし、インバータケース３０に設けられた取付孔３１の内部に差し込まれる。一方、後側のフード部２４は、取付部２３よりも後側に突出する形態をなしている。なお、前側フード部２４は、後側のフード部２４よりも一回り小さめに形成されている。
【００１８】
両フード部２４の奥壁２５には、同奥壁２５を前後方向に貫通して複数の端子２６が圧入もしくはインサート成形により固定されている。これらの端子２６の前後両端部は、それぞれ両フード部２４の開口縁よりも奥壁２５寄りに配置されている。このため、端子２６は、両フード部２４に覆われ、側方からの衝撃に対して端子２６を有効に保護することができる。
【００１９】
合わせ面２１において前側のフード部２４の周囲には、パッキン本体１１が装着される取付溝２７が周設されている。取付溝２７は、合わせ面２１よりも一段低く形成されている。取付溝２７にパッキン本体１１が取り付けられると、パッキン本体１１は、合わせ面２１よりも突出するように設定されている。このため、中継コネクタ２０をインバータケース３０に固定すると、パッキン本体１１が取付溝２７と取付孔３１の開口縁部との間で圧着される。
【００２０】
また、ハウジング２２において取付溝２７の内周側には、位置決めピン２８が突出して設けられている。位置決めピン２８は、前側のフード部２４の四隅に対応して４つ配置されている。位置決めピン２８の外径は、キャップ１４の内径よりも大きめに形成されている。このため、キャップ１４は、位置決めピン２８に対して拡径されつつ圧入される。また、取付溝２７の幅は、パッキン本体１１の幅よりも大きめとされている。このため、取付溝２７に取り付けられたパッキン本体１１は、取付溝２７の内部で位置調整が可能となっている。
【００２１】
ここで、パッキン１０の各位置決め部１２には、位置決め孔１５が貫通して形成されている。この位置決め孔１５は、パッキン本体１１を取付溝２７に取り付けるための位置決め用の孔である。つまり、位置決めピン２８に位置決め孔１５を挿通させることにより、パッキン本体１１の位置決めが行われ、パッキン本体１１を取付溝２７に容易に取り付けることができる。
【００２２】
しかしながら、パッキン１０はゴム製品であり、ゴム製品は成形精度を出しにくいため、位置決めピン２８に対してずれた位置に位置決め孔１５が成形される場合がある。このような場合に位置決め孔１５を位置決めピン２８に挿通させると、パッキン本体１１が両位置決めピン２８間で引っ張られ、あるいはパッキン本体１１が両位置決めピン２８間で寄せられた状態となる。このような状態のまま、パッキン本体１１を取付溝２７と取付孔３１の開口縁部との間で圧着すると、防水性能が低下してしまう。
【００２３】
そこで、位置決め孔１５の成形誤差を吸収すべく、位置決め孔１５の内周面と位置決めピン２８の外周面との間には、隙間が形成されている。すなわち、位置決め孔１５の内径Ｌ２は、位置決めピン２８の外径Ｌ１よりも大きめとされている。これにより、位置決め孔１５の成形誤差を吸収してパッキン本体１１を変形させることなく取付溝２７に取り付けることができ、パッキン１０の防水性能を維持することができる。
【００２４】
また、キャップ１４の内側の深さ寸法は、位置決めピン２８のうち位置決め孔１５を貫通して突き出た部分の高さ寸法とほぼ同じかこれよりやや大きめとされている。このため、キャップ１４で位置決め孔１５の周縁部を押さえ付けることが可能となり、位置決め部１２をハウジング２２に固定することができる。
【００２５】
さらに、位置決め孔１５が位置決めピン２８にずれて装着された場合でも、キャップ１４の位置は、必ず位置決めピン２８の位置に圧入されるため、キャップ１４は、位置決め孔１５に対して相対的に移動可能とする必要がある。この点、キャップ１４が可撓性を有する連結部１３によって連結され、この連結部１３が折り返し状に形成されているから、位置決め孔１５とキャップ１４との相対的な位置関係を調整することができる。
【００２６】
次に、パッキン１０の中継コネクタ２０への取付方法および中継コネクタ２０のインバータケース３０への取付方法について説明する。
パッキン１０を中継コネクタ２０へ取り付けるには、まず、各位置決め孔１５を各位置決めピン２８に挿通する。ここで、位置決め孔１５の位置ずれがあったとしても、位置決め孔１５が従来よりも大きめに形成されているため、パッキン本体１１を変形させることなく、位置決め孔１５を位置決めピン２８に挿通することができる。
【００２７】
そして、キャップ１４の頭を指で押さえ付けて位置決めピン２８に圧入する。すると、位置決め部１２がハウジング２２に保持され、パッキン本体１１が取付溝２７に保持される。これにより、パッキン１０が中継コネクタ２０に取り付けられる。
【００２８】
中継コネクタ２０をインバータケース３０に取り付けるには、前側のフード部２４を取付孔３１に差し込んで、両合わせ面２１，３２を対面させる。次に、ボルト５０をカラー４０を通してボルト孔３３に締め込む。この締め込みに伴って、パッキン本体１１は、取付溝２７と取付孔３１の開口縁部との間で挟持される。すると、図４に示すように、パッキン本体１１は、取付溝２７と取付孔３１の開口縁部との双方に密着し、取付孔３１の内部が防水される。
【００２９】
以上のように本実施形態によると、位置決め孔１５の内径Ｌ２を位置決めピン２８の外径Ｌ１よりも大きめに形成したから、位置決め孔１５の成形誤差を吸収することができる。しかも、より精度の高い金型を使用しなくてもよいから、コストアップを回避することができる。
【００３０】
また、キャップ１４を指で押さえることでキャップ１４を位置決めピン２８に圧入することができるから、キャップ１４の取付作業が容易になる。また、キャップ１４によって位置決め孔１５の周縁部を押さえるようにしたから、パッキン１０を中継コネクタ２０に保持することができる。また、可撓性を有する連結部１３を折り返し状に形成したから、キャップ１４と位置決め孔１５の相対的な位置関係を調整することができ、また、キャップ１４をパッキン１０と一体として扱うことで取り扱いが容易になる。
【００３１】
＜他の実施形態＞
本発明は上記記述及び図面によって説明した実施形態に限定されるものではなく、例えば次のような実施形態も本発明の技術的範囲に含まれる。
（１）本実施形態では相手側部材としてインバータケース３０を例示しているものの、本発明によると、相手側部材として取付用のブラケットなどであってもよい。
【００３２】
（２）本実施形態ではコネクタとして中継コネクタ２０を例示しているものの、本発明によると、ワイヤハーネスの端末に接続されたコネクタとしてもよい。
【００３３】
（３）本実施形態では抜止部としてキャップ１４を例示しているものの、本発明によると、キャップ１４の代わりに円孔を貫通して形成し、この円孔の径寸法を位置決めピン２８の外径Ｌ１より小さめにして圧入可能としてもよい。
【００３４】
（４）本実施形態ではキャップ１４によって位置決め孔１５の周縁部を押さえるものを例示しているものの、本発明によると、必ずしも位置決め孔１５の周縁部を押さえなくてもよく、位置決め部１２の抜け止めのみができるものでもよい。
【００３５】
（５）本実施形態ではキャップ１４が連結部１３を介して位置決め部１２に連結されているものの、本発明によると、キャップ１４を位置決め部１２と別体に設けてもよい。
【図面の簡単な説明】
【００３６】
【図１】パッキンの正面図
【図２】パッキンが取り付けられた中継コネクタの正面図
【図３】パッキンが取り付けられた中継コネクタをインバータケースに固定する前の状態を側方から見た断面図
【図４】パッキンが取り付けられた中継コネクタをインバータケースに固定した状態を側方から見た断面図
【図５】図３におけるパッキンを一部拡大して示した図
【符号の説明】
【００３７】
１０…パッキン
１１…パッキン本体
１２…位置決め部
１３…連結部
１４…キャップ
１５…位置決め孔
２０…中継コネクタ（コネクタ）
２１…合わせ面
２２…ハウジング
２８…位置決めピン
３０…インバータケース（相手側部材）
３１…取付孔
３２…合わせ面
【図１】
2009295491.tif 000003
【図２】
2009295491.tif 000004
【図３】
2009295491.tif 000005
【図４】
2009295491.tif 000006
【図５】
2009295491.tif 000007